(57)【要約】【課題】  用紙に画像を印刷したとき、裏面から透けて見える裏写りを軽減するための画像処理に、使用する用紙と印刷対象の画像データの特性を反映させる手段がなかった。【解決手段】  使用する用紙にテストパターンを印刷し、出力された印刷済みの用紙を裏面からスキャンし、読み取り値とテストパターンの信号値との対応関係を算出して裏写りレベル情報を生成する。印刷対象画像データの濃度分布を解析し、裏写りレベル情報に基づいて、裏写り軽減のための画像処理係数を決定する。ここで決定された係数を適用した画像処理を施した印刷対象画像データを印刷すると、画質の劣化を極力抑えた裏写り軽減画像を得ることができる。裏写りレベル情報は、複数種類の用紙別に記憶する。また、裏写り軽減のための画像処理の軽減効果の強弱はユーザによって指定される手段も備える。【選択図】  図３
2013187800.tif 000002
【特許請求の範囲】
【請求項１】
画像データを入力する画像入力手段（６００、２００）と、
画像データを基に記録メディアに画像を形成する画像形成手段（３００）と、
前記画像入力手段（６００、２００）によって入力された画像データを、前記画像形成手段（３００）によって出力するための補正処理を行う画像変換手段（１３０）と、
記録メディアの裏面画像透過特性を計測するための計測用パターン画像データを保存するための画像データ記憶手段（１０７）と、
記録メディアの裏面画像透過特性を計測する指示を与えるための第一の操作手段（４００）と、
前記画像形成手段（３００）に前記計測用パターン画像データを基に記録メディアに計測用パターン画像を形成させる計測用パターン画像形成手段（３００）と、
前記計測用パターン画像データが形成されたメディアを読み取り画像データを取得する画像読み取り手段（２００）と、
前記画像読み取り手段（２００）によって取得した画像データ上の既定の座標を、前記計測用パターン画像データに基づいて取得する座標データ取得手段（５０１）と、
前記画像読み取り手段（２００）によって取得した画像データ上の複数の既定領域における統計値を算出する統計データ算出手段（５０３）と、
前記座標データ取得手段（５０１）および前記統計データ算出手段（５０３）に基づいて記録メディアの裏面画像透過特性を算出する手段（５０２）と、
前記画像入力手段（６００、２００）によって入力された画像データを、裏面画像透過を抑制する画像データに変換するために、前記記録メディアの裏面画像透過特性に基づいて、前記画像変換手段（１３０）に適用する係数を決定する手段（５０４）と、
を備えることを特徴とする画像処理装置（１００）。
【請求項２】
前記記録メディアの裏面画像透過特性を算出する手段（５０２）によって算出された１つ以上の記録メディアの裏面画像透過特性を保存するための裏面画像透過特性記憶手段（１０７）を更に備えることを特徴とする請求項１に記載の画像処理装置（１００）。
【請求項３】
前記係数を決定する手段（５０４）は、前記画像入力手段（６００、２００）によって入力された画像データの濃度情報を解析し、解析結果に応じて前記記録メディアの裏面画像透過特性から求められる係数の修正を行う手段（５０４）を更に備えることを特徴とする請求項１又は請求項２に記載の画像処理装置（１００）。
【請求項４】
前記係数を決定する手段（５０４）に対して、前記裏面画像透過特性に基づいた係数決定方法を指定するための第二の操作手段（４２０）を更に備えることを特徴とする請求項１乃至成請求項３の何れか１項に記載の画像処理装置（１００）。
【請求項５】
画像データを入力する画像入力工程（Ｓ１０２、Ｓ３０１）と、
画像データを基に記録メディアに画像を形成する画像形成工程（Ｓ１０１、Ｓ３０９）と、
前記画像入力工程（Ｓ３０１）によって入力された画像データを、前記画像形成工程（Ｓ３０９）によって出力するための補正処理を行う画像変換工程（Ｓ３０８）と、
記録メディアの裏面画像透過特性を計測するための計測用パターン画像データを保存するための画像データ記憶工程（１０７）と、
前記計測用パターン画像データを基に記録メディアに計測用パターン画像を形成させる計測用パターン画像形成手段（Ｓ１０１）と、
前記計測用パターン画像データが形成されたメディアを読み取り画像データを取得する画像読み取り工程（Ｓ１０２）と、
前記画像読み取り工程（Ｓ１０２）によって取得した画像データ上の既定の座標を、前記計測用パターン画像データに基づいて取得する座標データ取得工程（Ｓ１０３）と、
前記画像読み取り工程（Ｓ１０２）によって取得した画像データ上の複数の既定領域における統計値を算出する統計データ算出工程（Ｓ１０４）と、
前記座標データ取得工程（Ｓ１０３）および前記統計データ算出工程（Ｓ１０４）に基づいて記録メディアの裏面画像透過特性を算出する工程（Ｓ１０５）と、
前記画像入力工程（Ｓ３０１）によって入力された画像データを、裏面画像透過を抑制する画像データに変換するために、前記記録メディアの裏面画像透過特性に基づいて、前記画像変換工程（Ｓ３０８）に適用する係数を決定する工程（Ｓ３０６）と
を備えることを特徴とする画像処理方法。
【発明の詳細な説明】
【技術分野】
【０００１】
本発明は、画像処理装置において、印刷画像が裏面から透けて見える程度を軽減するための技術に関するものである。
【背景技術】
【０００２】
プリンタや複合機で様々な文書をプリントする場合、両面プリントや、用紙節約の目的で後に裏面を再利用することが決まっているプリントが行なわれることが多い。その場合に問題になるのが、プリントした画像が裏面から透けて見えるいわゆる裏写りである。
【０００３】
従来、裏写りの問題に関連する技術としては、複数種類の用紙から裏写りしない用紙を自動選択してプリントする技術がある（例えば特許文献１）。詳しくは、事前に複数種類の用紙にそれぞれテスト画像を印刷して読み取り、用紙ごとの裏写り特性を取得して記憶する。プリントすべき画像データを取得すると、その画像データの濃度情報に基づいて、記憶されている用紙ごとの裏写り特性を参照し、裏写りしない用紙を自動選択する。
【先行技術文献】
【特許文献】
【０００４】
【特許文献１】特開２００７−１８８０１４号公報
【発明の概要】
【発明が解決しようとする課題】
【０００５】
プリントすべき画像データの濃度特性に基づいて、裏写りが発生しにくい用紙を自動で選択する場合、使用する用紙の選択肢が１つに限られていると裏写りの回避ができない問題がある。また、ユーザーの意に反して高級な用紙を無駄に消費してしまう可能性もある。そのため、任意の用紙を指定してプリントする場合、両面プリントや裏面再利用を想定して、指定された用紙に合わせた裏写り軽減のための適切な変換処理が行なわれることが望まれる。
【課題を解決するための手段】
【０００６】
上記課題を解決するため、本発明は以下の構成を備える。
画像データを入力する画像入力手段（６００、２００）と、画像データを基に記録メディアに画像を形成する画像形成手段（３００）と、前記画像入力手段（６００、２００）によって入力された画像データを、前記画像形成手段（３００）によって出力するための補正処理を行う出力画像変換手段（１３０）と、記録メディアの裏面画像透過特性を計測するための計測用パターン画像データを保存するための画像データ記憶手段（１０７）と、記録メディアの裏面画像透過特性を計測する指示を与えるための第一の操作手段（４００）と、前記画像形成手段（３００）に前記計測用パターン画像データを基に記録メディアに計測用パターン画像を形成させる計測用パターン画像形成手段（３００）と、前記計測用パターン画像データが形成されたメディアを読み取り画像データを取得する画像読み取り手段（２００）と、前記画像読み取り手段（２００）によって取得した画像データ上の既定の座標を、前記計測用パターン画像データに基づいて取得する座標データ取得手段（５０１）と、前記画像読み取り手段（２００）によって取得した画像データ上の複数の既定領域における統計値を算出する統計データ算出手段（５０３）と、前記座標データ取得手段（５０１）および前記統計データ算出手段（５０３）に基づいて記録メディアの裏面画像透過特性を算出する手段（５０２）と、前記記録メディアの裏面画像透過特性に基づいて、前記画像入力手段（６００、２００）によって入力された画像データを変換するために前記出力画像変換手段（１３０）に適用する係数を決定する手段（５０４）とを備えることを特徴とする画像処理装置（１００）。
【発明の効果】
【０００７】
本発明は、記録メディアの裏面画像透過特性を算出する手段と、記録メディアの裏面画像透過特性に基づいて、画像入力手段により入力された画像データを変換するために出力画像変換手段に適用する係数を決定する手段を備える。そのため、裏写りの発生しやすい記録メディアに画像を出力する際に適切な画像処理を実施することが可能となり、両面プリントや、裏面の再利用において裏写りが原因の見た目への悪影響を軽減することができる。
【図面の簡単な説明】
【０００８】
【図１】デジタル複合機に搭載される制御システム構成図
【図２】出力画像処理部１３０の内部構成図
【図３】画像解析部５００の内部構成図
【図４】ある用紙のプリント濃度と裏写りの関係を登録する処理のフローチャート
【図５】テストパターン
【図６】濃度差許容レベルを表す図
【図７】信号値と裏写り許容レベルの関係を表す図
【図８】プリント時裏写りレベルの登録データ
【図９】本機能に関する操作手順を表したフローチャート
【図１０】本機能に関するプリント処理のフローチャート
【図１１】第２の実施形態に関する操作手順を表したフローチャート
【図１２】第２の実施形態に関する操作画面
【発明を実施するための形態】
【０００９】
以下、本発明を実施するための最良の形態について図面を用いて説明する。
【００１０】
［第１の実施形態］ 
図１に本実施例を適用するのに好適なデジタル複合機に搭載される制御システム構成を示す。コントローラユニット１００は、画像入力装置であるスキャナ２００や画像出力装置であるプリンタ３００と接続し、一方ではＬＡＮ６００や公衆回線７００と接続することで、画像データやデバイス情報の入出力を行いシステム全体の制御を行う。ＣＰＵ１０３はデジタル複合機全体を制御するコントローラとして機能する。操作部Ｉ／Ｆ１０４は操作部４００とのインターフェース部で、操作部４００上の図示しない表示部に表示するための画像データを操作部４００に対して出力する。また、操作部４００からユーザが入力した情報をＣＰＵ１０３に伝える役割をする。ネットワークＩ／Ｆ１０５はＬＡＮ６００に接続し、データの入出力を行う。モデム１０６は公衆回線７００に接続し、データ送受信を行うための変調復調処理を行う。記憶部１０７は画像データや、圧縮されたデータを格納するためのものであり、ＣＰＵ１０３が動作するためのシステムワークメモリ等も含まれる。以上のデバイスがシステムバス１０１上に配置される。
【００１１】
イメージバスＩ／Ｆ１１０はシステムバス１０１と画像データを高速で転送するイメージバス１０２を接続し、データ構造を変換するバスブリッジである。イメージバス１０２は、ＰＣＩバスまたはＩＥＥＥ１３９４などの高速バスで構成される。圧縮／解凍処理部１０８は画像データを所定の圧縮方法により圧縮、解凍を行う。解像度変換部１０９は、ＣＰＵ１０３により指定された倍率に応じて画像データの各画素の値を元に所定の補間演算で、画像の拡大または縮小を行う。デバイスＩ／Ｆ１１１は、画像入出力装置であるスキャナ２００やプリンタ３００とコントローラユニット１００を接続し、画像データの同期系／非同期系の変換を行う。入力画像処理部１２０は、主にスキャナ２００で取得した画像データに対し補正、加工、編集を行いその後の各種処理に対応した変換処理を行う。出力画像処理部１３０は、画像データに対して、主にプリンタ３００で出力するための補正とデータ変換を行う。画像解析部５００は、入力画像を解析して登録データや出力時の画像処理に適用する係数の生成を行う。
【００１２】
スキャナ２００は原稿を照明し、その反射光をＣＣＤラインセンサ等の受光素子によって読み取り、原稿上の画像を表す電気信号に変換、デジタル画像データを生成する。
【００１３】
プリンタ３００は、画像データを用紙上の画像として形成し出力する。その方式は電子写真方式、インクジェット方式等があるが、どの方式でも構わない。
【００１４】
図２に出力画像処理部１３０内部構成のブロック図を示す。地肌除去部１３１は、画像データの地肌色すなわち不要な下地のかぶりを除去するために、例えば、３×８サイズのマトリクス演算や、１次元ルックアップテーブル（ＬＵＴ）により地肌除去処理を行う。モノクロ生成部１３２は、カラー画像データをモノクロデータに変換し単色でプリントするために、赤（Ｒｅｄ）、緑（Ｇｒｅｅｎ）、青（Ｂｌｕｅ）の３コンポーネントでカラー画像を表現するＲＧＢデータを、グレー（Ｇｒａｙ）データに変換する。例えば、ＲＧＢそれぞれの信号に任意の定数を掛け、その和を算出することで合成し、グレー信号とする演算が行われる。フィルタ処理部１３３は画像データの空間周波数を任意に補正するために、例えば９×９サイズの係数を適用して畳み込み演算処理を行う。出力色補正部１３４は、４×８サイズのマトリクス演算や、ダイレクトマッピング処理等により、画像データに対して出力先に合わせた色補正処理を行う。例えば画像データをプリントする場合にはＲＧＢデータからＣ（Ｃｙａｎ）、Ｍ（Ｍａｇｅｎｔａ）、Ｙ（Ｙｅｌｌｏｗ）、Ｋ（Ｂｌａｃｋ）データに変換すると共にプリンタ部３００の出力特性に合わせて変換する。濃度補正部１３５は出力画像の濃度調整や、トナー節約モードが有効であるときにトナー使用量を抑制するための濃度補正処理を行う。ガンマ補正部１３６は出力するプリンタ部３００の階調再現特性に合わせて、ガンマ補正処理を通常１次元のルックアップテーブル（ＬＵＴ）によって実施する。擬似中間調処理部１３７は出力するプリンタ部３００の階調数に合わせて、２値化や３２値化等の任意のスクリーン処理や誤差拡散処理を行う。なお、プリンタ画像処理部１３０内のモジュールは、上述した地肌除去部１３１から擬似中間調処理部１３７に限られるものではなく、他の画像処理モジュールが追加されても良いし、上述のモジュールのうちのいくつかが削除されても良い。
【００１５】
図３に画像解析部５００内部構成のブロック図を示す。位置解析部５０１は、後述するテストパターンを読み込んだ画像データ内でその後の解析に必要な座標情報を取得するための位置解析処理を行う。裏写りデータ解析部５０２はテストパターンを読み込んだ画像データに対して、裏写りのレベルとプリント時の濃度の関係を解析し、対象用紙の裏写りレベル情報を生成する。画像データ集計部５０３は、テストパターンを読み込んだ画像データや、これから出力するための画像データの統計量を算出する。裏写り低減処理係数算出部５０４は、地肌除去部１３１、濃度補正部１３５に適用するための係数を算出する。ここで算出した係数が適用されると、地肌除去部１３１、濃度補正部１３５が処理した出力用の画像データは、既定濃度以下に制限された画像データに変換される。その結果、対象とする用紙にプリントした場合の裏写りの発生が抑えられる。
【００１６】
図４に本実施例のポイントとなる、ある用紙に対するプリント濃度と裏写りの関係を登録する処理のフローチャートを示す。登録処理開始を受け付けたＣＰＵ１０３は、記憶部１０７に保存されているテストパターンの画像データをプリンタ３００で対象用紙にプリントするための処理を実行する（ステップＳ１０１）。図５（Ａ）はプリンタ３００で出力されたテストパターンの例であり、一定のプリント信号でプリントする矩形領域（以後パッチと称する）が複数種類配置されている。ステップＳ１０１で出力された、テストパターンがプリントされている用紙がユーザによってスキャナ２００にセットされると、スキャナ２００はプリント面の裏面から読み取り、画像データを取得する（ステップＳ１０２）。図５（Ｂ）は図５（Ａ）を裏面から読み取った画像データの例であり、プリント濃度が濃いパッチは裏面から透けて見えることがわかる。次に、位置解析部５０１が、取得した画像データ上でテストパターンの位置検出を行い、その後のスキャン信号値取得に使用するための座標情報を取得する（ステップＳ１０３）。次に画像データ集計部５０３が座標情報を利用してテストパターン上の各パッチおよび何もプリントされていない領域のスキャン信号値を集計し、パッチごとの平均値等の統計量を算出する（ステップＳ１０４）。裏写りデータ解析部５０２は、ステップＳ１０４で算出された統計量と記憶部１０７に保存されているテストパターンの画像データを元にプリントデータとスキャンデータの対応関係を解析する。この解析結果に従ってプリント時裏写りレベルの登録データを生成する（ステップＳ１０５）。生成されたデータは対応する用紙情報と対にして記憶部１０７に保存される（ステップＳ１０６）。
【００１７】
ここでプリント時裏写りレベルの求め方を説明する。図６は一般的な観察者にとって濃度差が明確に認識できるレベルの閾値を表したグラフである。横軸はベースとなる色のスキャン信号値（ｂｇ）、縦軸はベースとなる色に対するスキャン信号値の差分（ｄ）を表す。このグラフの形状は、ベースとなる色すなわち用紙の色が濃いほど、それに対するスキャン信号値の差分が大きい濃度でなければ実際の見た目に影響しないことを表す。言い換えると、使用する用紙が白いほど微かな濃度差が、明確に視認されることを示している。
【００１８】
図７は、プリント時の信号値と、テストパターンがプリントされた用紙を裏面からスキャンして取得したスキャン信号値との関係および許容可能な裏写りレベルの考え方を説明するための図である。横軸はプリント時の信号を表し、縦軸はある用紙にテストパターンをプリントしたものを裏面からスキャンして取得したスキャン信号を表している。用紙のスキャン信号値がｂｇであるとき、プリント時信号がＴｈのパッチまでは裏面からスキャンしたときに何もプリントされていない用紙のみの領域と差分がなく、裏写りは全く発生しない。プリント時信号がＴｈを超えると、そのパッチを裏面からスキャンしたスキャン信号値は、何もプリントされていない用紙のみの領域のスキャン信号値と差が出始める。ここで、図６を参照して用紙のスキャン信号値がｂｇのときの許容可能な差分ｄを取得する。この用紙に対して実際にユーザが観察したときに裏写りが気になる濃度に対応するスキャン信号値Ｔｈｓは、ｂｇ＋ｄで求められる。図７によると、裏面からスキャンしたときに信号値Ｔｈｓに相当する濃度が透過されるプリント時信号はＴｈｐである。つまり、この用紙にプリントする信号がＴｈｐより薄ければ裏写りが発生しにくいことを示す。
【００１９】
ステップＳ１０５では、裏写りデータ解析部５０２が、まず、ステップＳ１０４で求められた用紙およびパッチを裏面からスキャンした値と、それに対応するテストパターンプリント時の信号値との関係から、図７に相当する信号値対応関係を生成する。また、記憶部１０７に保持されている図６に相当するデータを参照し、用紙のスキャン信号値ｂｇから許容可能な差分ｄを取得する。ｂｇとｄを足し合わせた値Ｔｈｓから、上記信号値対応関係の情報に基づいて、対象用紙での裏写りの発生有無の閾値となるプリント時信号値Ｔｈｐを算出する。このプリント時信号値Ｔｈｐを、対象用紙でのプリント時裏写りレベルとして扱う。実際の処理では、テストパターンのパッチは離散的な信号値からプリントされる限定された個数のパッチであるため、図７に示すような連続的なデータは得られない。そのため、信号値対応関係を参照する際には補間演算等でデータ生成が実施される。
【００２０】
図８はこのようにして生成された複数の用紙ごとのプリント時裏写りレベルの登録データを示す。例えば用紙Ａは、プリント時の信号値２４０以上の濃度をプリントしたときに裏から観察すると、紙を透過して観察される画像が、裏写りとして悪い印象を与えることを表す。
【００２１】
図９に本機能を利用するための操作手順を表したフローチャートを示す。本機能は、ＰＣからのプリントもしくはデジタル複合機でのコピー等、用紙にプリントする際に、両面プリントや、裏面再利用予定のある場合、裏面のプリント画像が表面から透けて見える度合いを軽減したいユーザによって指定される。ステップＳ２０１では本機能を有効にするために裏写り低減モードが指定される。ステップＳ２０２でプリントに使用する用紙が選択され、ステップＳ２０３で裏写り低減モードの設定が確定される。
【００２２】
図１０に本機能に関するプリント処理のフローチャートを示す。ステップＳ３０１でコントローラ１００にプリントすべき画像データがスキャナ２００またはＬＡＮ６００あるいは公衆回線７００から入力される。ＣＰＵ１０３はステップＳ３０２でプリント時の裏写り低減機能が指定されているか否かを判断、もし指定されていなければステップＳ３０７へ進み、通常のプリント出力処理を実施する。裏写り低減機能が指定されている場合にはＣＰＵ１０３がステップＳ３０３で、使用する用紙の情報を取得する。ここでは、操作手順のステップＳ２０２で指定された用紙の情報が取得される。次にステップＳ３０４でＣＰＵ１０３が記憶部１０７に保存されているプリント時裏写りレベルの登録データを参照し、指定された用紙のプリント時裏写りレベルを取得する。ステップＳ３０５では裏写り低減処理のための処理係数が決定される。ここでの係数決定方法は、ステップＳ３０４で取得した裏写りレベルのデータから一意に決定する方法と、ステップＳ３０１で取得したプリントすべき画像データを解析し、その結果も利用して決定する方法がある。例えば、プリントすべき画像データを解析した結果、指定用紙へのプリントでは画像全体が裏写りの心配のない濃度以下に収まる場合には、ステップＳ３０４で取得した裏写りレベルにかかわらず、低減処理不要と判断しそれに相当する係数に決定することもできる。ここで決定された裏写り低減係数をもとに、裏写り低減の処理を実現するために必要な処理モジュールの選択およびそのモジュールに設定される係数を通常プリント時からどのように修正するかを示す修正情報を生成する（ステップＳ３０６）。ステップＳ３０８で出力画像処理部１３０は、ステップＳ３０６またはＳ３０７決定された係数に従った出力用の画像処理を実施する。裏写り低減の処理は主に地肌除去部１３１、濃度補正部１３５で実施する通常の処理の係数を変更することにより実現する。つまり、地肌除去部１３１、濃度補正部１３５に設定される係数は、ステップＳ３０７を通った場合には、通常の出力用係数が、ステップＳ３０６を通った場合には、裏写り低減用の係数が適用される。最後に出力画像処理済みの画像データがプリンタ３００でプリントされる（ステップＳ３０９）。
【００２３】
以上の処理により、用紙の裏写りレベル登録および裏写り低減プリントが実現され、両面プリント時や裏面を再利用する際に裏写りによる見た目への悪影響を軽減することが可能となる。
【００２４】
［第２の実施形態］ 
第１の実施形態においては、用紙ごとの裏写りレベルの登録情報とプリントすべき画像データの解析結果からコントローラ１００内で裏写り低減処理およびそのための係数が決定された。それに対して第２の実施形態では、裏写り低減のレベルをユーザが選択できる構成を説明する。
【００２５】
図１１に本実施例に関する操作手順を表したフローチャートを、図１２に関連する操作画面を示す。ユーザによって裏写り低減機能の実施が指示されると、図１２（Ａ）に示す裏写り低減用紙選択画面４１０が操作部４００上の不図示の表示部に表示される。裏写り低減用紙選択画面４１０には、用紙選択領域４１１、個別調整ボタン４１２、ＯＫボタン４１３、キャンセルボタン４１４が含まれる。用紙選択領域４１１には、プリント時裏写りレベルが登録されている用紙が複数表示され、各用紙で裏写り低減処理を実施したときの画質ランクも合わせて表示される。画質ランクは裏写りレベルに応じて、例えば１から５の５段階で表現される。ランク５は裏写りが起こりにくい用紙で、裏写り低減処理が不要、ランク１は裏写りが非常に起こり易い用紙で、裏写り低減処理をする場合、画質劣化が激しいことを表す。用紙選択領域４１１に表示されている用紙の選択肢のうち常に１つが選択状態となっているが、変更はユーザの任意で行なわれる（ステップＳ４０１）。
【００２６】
次にＯＫボタン４１３が押下された場合、ステップＳ４０２の判断の後ステップＳ４０４に進み、設定処理が終了する。個別調整ボタン４１２が押下された場合には、図１２（Ｂ）に示す裏写り低減設定画面４２０が操作部４００上の不図示の表示部に表示される。裏写り低減設定画面４２０には、出力用紙変更領域４２１、低減レベル設定領域４２２、ポインタ４２３、ＯＫボタン４２４、キャンセルボタン４２５が含まれる。
【００２７】
出力用紙変更領域４２１には、裏写り低減設定画面４２０に遷移する直前に用紙選択領域４１１で選択されていた用紙が表示されているが、ここで変更することも可能である。また用紙名称と共に画質ランクが表示されても良い。
【００２８】
低減レベル設定領域４２２では、ポインタ４２３が中央に位置しているとき、通常の裏写り低減レベルを示すが、ユーザによってそのレベルを変更することが可能である（ステップＳ４０３）。ポインタ４２３が中央よりも右に位置する場合は、裏写り低減処理を強くかける設定となり、処理を実施するときには確実に裏写りを防ぐ方向の係数が適用されるが、画質の劣化が激しくなる。逆に、ポインタ４２３が中央よりも左に位置する場合は、裏写り低減処理を弱める設定となり、裏写りが発生しやすくなる一方で画質の低下は抑えられる。ステップＳ４０４でＯＫボタン４２４が押下されると、裏写り低減設定画面４２０で設定されていた内容が確定し、ＣＰＵ１０３が、出力用紙変更領域４２１で選択されていた用紙にプリントするための処理を行う。
【００２９】
裏写り低減処理係数算出部５０４は、ポインタ４２３によって指定された低減レベルに従って、処理係数を決定する。この決定方法としては、例えば、指定された低減レベルに対応する既定の信号値を登録されている裏写りレベルに加算した後に係数を算出する方法がある。
【００３０】
以上の処理により、プリント時の裏写りを軽減するための処理の強さをユーザが調整する手段が提供され、裏写りの程度と画質劣化の程度のバランスをユーザの好みに応じて変化させることが可能となる。
【符号の説明】
【００３１】
５０１  位置解析部
５０２  裏写りデータ解析部
５０３  画像データ集計部
５０４  裏写り低減処理係数算出部
【図１】
2013187800.tif 000003
【図２】
2013187800.tif 000004
【図３】
2013187800.tif 000005
【図４】
2013187800.tif 000006
【図５】
2013187800.tif 000007
【図６】
2013187800.tif 000008
【図７】
2013187800.tif 000009
【図８】
2013187800.tif 000010
【図９】
2013187800.tif 000011
【図１０】
2013187800.tif 000012
【図１１】
2013187800.tif 000013
【図１２】
2013187800.tif 000014